(57)【特許請求の範囲】
【請求項１】
患者から少なくとも１種類の生体情報を取得する生体情報測定機器と、
患者を特定するための患者ＩＤと上記患者の生体情報とを対応付けて電子カルテ情報として記録する病院情報サーバと、
上記生体情報測定機器と上記病院情報サーバとの間で通信データを中継する中継サーバと、
上記中継サーバに通信可能に接続された病院端末と、
を備え、
上記病院端末は、上記患者ＩＤ、生体情報測定機器を特定するための測定機器ＩＤおよび医療従事者を特定するための医療従事者ＩＤを読み取るためのＩＤ読取装置を有し、
上記生体情報測定機器は、この生体情報測定機器自身を特定するための自己測定機器ＩＤを記憶する自己測定機器ＩＤ記憶部を有し、
上記中継サーバは、上記病院端末から上記患者ＩＤ、上記測定機器ＩＤおよび上記医療従事者ＩＤを受信するとともに、上記生体情報測定機器から上記自己測定機器ＩＤを受信し、受信した上記測定機器ＩＤと受信した上記自己測定機器ＩＤとが一致したとき、受信した上記患者ＩＤおよび上記医療従事者ＩＤを上記生体情報測定機器へ送信する制御を行うＩＤ送信制御部を有し、
上記生体情報測定機器は、
生体情報を取得する生体情報取得部と、
取得された上記生体情報と上記中継サーバから受信した上記患者ＩＤと上記医療従事者ＩＤとを表示する測定機器表示部と、
上記測定機器表示部に表示された上記生体情報を確定する入力を行うための操作部と、
上記測定機器表示部に表示された上記生体情報が上記操作部に対する入力によって確定されたとき、上記患者ＩＤと上記確定された生体情報とを対応付けて通信データとして、上記中継サーバを介して、または直接上記病院情報サーバへ送信する制御を行う測定機器送信制御部と
を有することを特徴とする生体情報測定システム。
【請求項２】
請求項１に記載の生体情報測定システムにおいて、
上記病院端末から受信した上記測定機器ＩＤ、上記患者ＩＤおよび上記医療従事者ＩＤからなるセットを特定するための病院端末読取セットＩＤと、上記測定機器ＩＤと、上記患者ＩＤと、上記医療従事者ＩＤとを対応付けてＩＤテーブル情報として記憶するＩＤテーブル情報記憶部を備え、
上記中継サーバの上記ＩＤ送信制御部は、上記生体情報測定機器から上記自己測定機器ＩＤを予め定められた時間間隔で繰り返し受信し、上記ＩＤテーブル情報に含まれる測定機器ＩＤと受信した上記自己測定機器ＩＤとが一致するたびに、上記自己測定機器ＩＤと一致した測定機器ＩＤに対応した病院端末読取セットＩＤ、患者ＩＤおよび医療従事者ＩＤを含むＩＤテーブル情報を上記生体情報測定機器に送信する制御を行い、
上記生体情報測定機器は、
受信した病院端末読取セットＩＤと、患者ＩＤと、医療従事者ＩＤとを対応付けて記憶する受信ＩＤ記憶部と、
受信したＩＤテーブル情報に含まれた病院端末読取セットＩＤと上記受信ＩＤ記憶部に記憶されている病院端末読取セットＩＤとが一致しなかったとき、上記受信ＩＤ記憶部に記憶されている内容を上記受信したＩＤテーブル情報に含まれた病院端末読取セットＩＤ、患者ＩＤおよび医療従事者ＩＤに更新する制御を行うＩＤ取得制御部と
を有することを特徴とする生体情報測定システム。
【請求項３】
請求項１または２に記載の生体情報測定システムにおいて、
上記生体情報測定機器は、
病院が受付をした患者名と患者ＩＤとを対応付けて記録した患者一覧リストおよび上記病院内の医療従事者名と医療従事者ＩＤとを対応付けて記録した医療従事者一覧リストを記憶する第１のリスト記憶部と、
上記中継サーバから受信した上記患者ＩＤに基づいて上記第１のリスト記憶部に記憶された上記患者一覧リストを参照して、上記患者ＩＤに対応する患者名を上記測定機器表示部に表示させるとともに、上記中継サーバから受信した上記医療従事者ＩＤに基づいて上記第１のリスト記憶部に記憶された上記医療従事者一覧リストを参照して、上記医療従事者ＩＤに対応する医療従事者名を上記測定機器表示部に表示させる制御を行う測定機器名前表示制御部と
を有することを特徴とする生体情報測定システム。
【請求項４】
請求項１から３までのいずれか１つに記載の生体情報測定システムにおいて、
上記病院端末は、
病院が受付をした患者名と患者ＩＤとを対応付けて記録した患者一覧リストおよび上記病院内の医療従事者名と医療従事者ＩＤとを対応付けて記録した医療従事者一覧リストを記憶する第２のリスト記憶部と、
上記患者名と上記医療従事者名とを表示するための病院端末表示部と、
上記ＩＤ読取装置によって読み取られた上記患者ＩＤに基づいて上記第２のリスト記憶部に記憶された上記患者一覧リストを参照して、上記患者ＩＤに対応する患者名を上記病院端末表示部に表示させるとともに、上記ＩＤ読取装置によって読み取られた上記医療従事者ＩＤに基づいて上記第２のリスト記憶部に記憶された上記患者一覧リストを参照して、上記医療従事者ＩＤに対応する医療従事者名を上記病院端末表示部に表示させる制御を行う病院端末名前表示制御部と
を有することを特徴とする生体情報測定システム。
【請求項５】
請求項１から４までのいずれか１つに記載の生体情報測定システムにおいて、
上記病院端末の上記ＩＤ読取装置は、バーコードを読み取り可能なバーコードリーダであることを特徴とする生体情報測定システム。
【請求項６】
請求項５に記載の生体情報測定システムにおいて、
上記生体情報測定機器には、上記自己測定機器ＩＤを表すバーコードが取り付けられていることを特徴とする生体情報測定システム。
【請求項７】
請求項５に記載の生体情報測定システムにおいて、
上記生体情報測定機器は、上記自己測定機器ＩＤを表すバーコードを上記測定機器表示部に表示することを特徴とする生体情報測定システム。
【請求項８】
患者から少なくとも１種類の生体情報を取得する生体情報測定機器であって、
患者を特定するための患者ＩＤと上記患者の生体情報とを対応付けて電子カルテ情報として記録する病院情報サーバと、上記患者ＩＤ、生体情報測定機器を特定するための測定機器ＩＤおよび医療従事者を特定するための医療従事者ＩＤを読み取るためのＩＤ読取装置を有する病院端末とに通信可能に接続され、
本体に、
生体情報を取得する生体情報取得部と、
この生体情報測定機器自身を特定するための自己測定機器ＩＤを記憶する自己測定機器ＩＤ記憶部と、
上記病院端末から上記患者ＩＤ、上記測定機器ＩＤおよび上記医療従事者ＩＤを受信し、受信した上記測定機器ＩＤと上記自己測定機器ＩＤ記憶部に記憶されている上記自己測定機器ＩＤとが一致したとき、受信した上記患者ＩＤおよび上記医療従事者ＩＤを取得する制御を行うＩＤ受信制御部と、
上記生体情報取得部によって取得された上記生体情報と上記ＩＤ受信制御部によって取得された上記患者ＩＤと上記医療従事者ＩＤとを表示する表示部と、
上記測定機器表示部に表示された上記生体情報を確定する入力を行うための操作部と、
上記測定機器表示部に表示された上記生体情報が上記操作部に対する入力によって確定されたとき、上記患者ＩＤと上記確定された生体情報とを対応付けて通信データとして、上記病院情報サーバへ送信する制御を行う送信制御部と
が搭載されていることを特徴とする生体情報測定機器。
【発明の詳細な説明】
【技術分野】
【０００１】
この発明は生体情報測定システムに関し、より詳しくは、患者から少なくとも１種類以上の生体情報を取得する生体情報測定機器と、患者を特定するための患者ＩＤ（識別番号）と上記患者の生体情報とを対応付けて電子カルテ情報として記録する病院情報サーバとを備えた生体情報測定システムに関する。
【０００２】
また、この発明は、そのような生体情報測定システムに用いられる生体情報測定機器に関する。
【背景技術】
【０００３】
近年、医療機関では患者の容態や治療過程を記録するカルテの電子化が進んでいる。電子カルテを導入している医療機関では、例えば回診時に、医療従事者（看護師など）が携帯型のパーソナルコンピュータ（以下「ノートパソコン」という。）をカートに載せて運び、患者の医療情報や生体情報を確認したり入力したりする際には、患者ＩＤを入力して、電子カルテにアクセスしている。
【０００４】
従来、そのようなノートパソコンには、例えば特許文献１（特開２００３−２２４１２号公報）に記載のように、バーコードリーダが接続されている。そして、このバーコードリーダによって患者が携行するバーコード（患者ＩＤを表す）を読み取って患者ＩＤを入力するのが一般的である。
【先行技術文献】
【特許文献】
【０００５】
【特許文献１】特開２００３−２２４１２号公報
【発明の概要】
【発明が解決しようとする課題】
【０００６】
ここで、本出願人は、先に、患者の生体情報を、簡単な入力作業で効率よく確実に記録することが可能な生体情報測定機器を提案した（特願２０１１−２８８７２３号）。この生体情報測定機器には、バーコードリーダが接続されている。そして、このバーコードリーダによって患者ＩＤを表すバーコードを読み取って患者ＩＤを入力した後、電子カルテへその患者の生体情報を送信するようになっている。
【０００７】
しかし、病院内で上記生体情報測定機器をノートパソコンと併用した場合、患者ＩＤを入力するために、上記生体情報測定機器に接続されたバーコードリーダと上記ノートパソコンに接続されたバーコードリーダとの２種類のバーコードリーダが存在することになる。このため、バーコードリーダの運用の仕方が面倒になり、また、バーコードリーダの数が増えるためコスト面でも不利になる。
【０００８】
そこで、この発明の課題は、バーコードリーダのようなＩＤ読取装置を１種類にして、バーコードリーダの運用の仕方を簡単にし、また、コスト面での不利も解消できる生体情報測定システムを提供することにある。
【０００９】
また、この発明は、そのような生体情報測定システムに用いられる生体情報測定機器であって、バーコードリーダのようなＩＤ読取装置を１種類にして、バーコードリーダの運用の仕方を簡単にし、また、コスト面での不利も解消できる生体情報測定機器を提供することにある。
【課題を解決するための手段】
【００１０】
この発明の生体情報測定システムは、
患者から少なくとも１種類の生体情報を取得する生体情報測定機器と、
患者を特定するための患者ＩＤと上記患者の生体情報とを対応付けて電子カルテ情報として記録する病院情報サーバと、
上記生体情報測定機器と上記病院情報サーバとの間で通信データを中継する中継サーバと、
上記中継サーバに通信可能に接続された病院端末と、
を備え、
上記病院端末は、上記患者ＩＤ、生体情報測定機器を特定するための測定機器ＩＤおよび医療従事者を特定するための医療従事者ＩＤを読み取るためのＩＤ読取装置を有し、
上記生体情報測定機器は、この生体情報測定機器自身を特定するための自己測定機器ＩＤを記憶する自己測定機器ＩＤ記憶部を有し、
上記中継サーバは、上記病院端末から上記患者ＩＤ、上記測定機器ＩＤおよび上記医療従事者ＩＤを受信するとともに、上記生体情報測定機器から上記自己測定機器ＩＤを受信し、受信した上記測定機器ＩＤと受信した上記自己測定機器ＩＤとが一致したとき、受信した上記患者ＩＤおよび上記医療従事者ＩＤを上記生体情報測定機器へ送信する制御を行うＩＤ送信制御部を有し、
上記生体情報測定機器は、
生体情報を取得する生体情報取得部と、
取得された上記生体情報と上記中継サーバから受信した上記患者ＩＤと上記医療従事者ＩＤとを表示する測定機器表示部と、
上記測定機器表示部に表示された上記生体情報を確定する入力を行うための操作部と、
上記測定機器表示部に表示された上記生体情報が上記操作部に対する入力によって確定されたとき、上記患者ＩＤと上記確定された生体情報とを対応付けて通信データとして、上記中継サーバを介して、または直接上記病院情報サーバへ送信する制御を行う測定機器送信制御部と
を有することを特徴とする。
【００１１】
本明細書で、「生体情報」とは、血圧、体温、ＳｐＯ２（動脈血酸素飽和度）など、患者の生体に関する情報を広く指す。
【００１２】
また、「病院」とは、医院、保健センタなどの名称を問わず、医療に関する診断や治療を行う医療機関を広く指す。
【００１３】
また、「医療従事者」とは、看護師、医師、ＭＥ（Medical Engineer）などを広く指す。
【００１４】
また、「ＩＤ」とは、人や物（機器）を識別するための符号を指す。ＩＤは、数字のみに限られるものではなく、アルファベットや記号を含んでいても良い。
【００１５】
この発明の生体情報測定システムでは、病院端末のＩＤ読取装置が、上記患者ＩＤ、上記測定機器ＩＤおよび上記医療従事者ＩＤとを読み取った後、読み取られた上記患者ＩＤ、上記測定機器ＩＤおよび上記医療従事者ＩＤが上記中継サーバへ送信される。一方、上記生体情報測定機器の上記自己測定機器ＩＤ記憶部に記憶されている上記自己測定機器ＩＤが上記中継サーバへ送信される。上記中継サーバのＩＤ送信制御部は、上記病院端末から上記患者ＩＤ、上記測定機器ＩＤおよび上記医療従事者ＩＤを受信するとともに、上記生体情報測定機器から上記自己測定機器ＩＤを受信し、受信した上記測定機器ＩＤと受信した上記自己測定機器ＩＤとが一致したとき、受信した上記患者ＩＤおよび上記医療従事者ＩＤを上記生体情報測定機器へ送信する制御を行う。上記測定機器表示部には、取得された上記生体情報と上記中継サーバから受信した上記患者ＩＤと上記医療従事者ＩＤとが表示される。このため、医療従事者は、上記患者ＩＤと上記医療従事者ＩＤとを確認できるとともに、生体情報（測定値）を見て、その測定値が妥当であるか否かを判断することができる。医療従事者はその測定値が妥当であると判断したとき、上記操作部に対する入力によって測定値を確定する。上記測定機器表示部に表示された上記生体情報が上記操作部に対する入力によって確定されたとき、上記送信制御部は、上記患者ＩＤと上記確定された生体情報とを対応付けて通信データとして、上記中継サーバを介して、または直接上記病院情報サーバへ送信する制御を行う。
【００１６】
このように動作する場合、この生体情報測定システムによれば、上記生体情報測定機器にはＩＤ読取装置を設ける必要がなく、上記病院端末が例えばバーコードリーダのようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。
【００１７】
なお、上記生体情報測定機器の上記送信制御部は、上記患者ＩＤと上記確定された生体情報と、さらに上記医療従事者ＩＤとを対応付けて通信データとして、上記中継サーバを介して、または直接上記病院情報サーバへ送信する制御を行ってもよい。
【００１８】
一実施形態の生体情報測定システムでは、
上記病院端末から受信した上記測定機器ＩＤ、上記患者ＩＤおよび上記医療従事者ＩＤからなるセットを特定するための病院端末読取セットＩＤと、上記測定機器ＩＤと、上記患者ＩＤと、上記医療従事者ＩＤとを対応付けてＩＤテーブル情報として記憶するＩＤテーブル情報記憶部を備え、
上記中継サーバのＩＤ送信制御部は、上記生体情報測定機器から上記自己測定機器ＩＤを予め定められた時間間隔で繰り返し受信し、上記ＩＤテーブル情報に含まれる測定機器ＩＤと受信した上記自己測定機器ＩＤとが一致するたびに、上記自己測定機器ＩＤと一致した測定機器ＩＤに対応した病院端末読取セットＩＤ、患者ＩＤおよび医療従事者ＩＤを含むＩＤテーブル情報を上記生体情報測定機器に送信する制御を行い、
上記生体情報測定機器は、
受信した病院端末読取セットＩＤと、患者ＩＤと、医療従事者ＩＤとを対応付けて記憶する受信ＩＤ記憶部と、
受信したＩＤテーブル情報に含まれた病院端末読取セットＩＤと上記受信ＩＤ記憶部に記憶されている病院端末読取セットＩＤとが一致しなかったとき、上記受信ＩＤ記憶部に記憶されている内容を上記受信したＩＤテーブル情報に含まれた病院端末読取セットＩＤ、患者ＩＤおよび医療従事者ＩＤに更新する制御を行うＩＤ取得制御部と
を有することを特徴とする。
【００１９】
この一実施形態の生体情報測定システムでは、上記中継サーバの上記ＩＤ送信制御部は、上記生体情報測定機器から上記自己測定機器ＩＤを予め定められた時間間隔で繰り返し受信する。そして、上記ＩＤ送信制御部は、上記ＩＤテーブル情報に含まれる測定機器ＩＤと受信した上記自己測定機器ＩＤとが一致するたびに、上記自己測定機器ＩＤと一致した測定機器ＩＤに対応した病院端末読取セットＩＤ、患者ＩＤおよび医療従事者ＩＤを含むＩＤテーブル情報を上記生体情報測定機器に送信する制御を行う。上記生体情報測定機器の上記ＩＤ取得制御部は、受信したＩＤテーブル情報に含まれた病院端末読取セットＩＤと上記受信ＩＤ記憶部に記憶されている病院端末読取セットＩＤとが一致しなかったとき、上記受信ＩＤ記憶部に記憶されている内容を上記受信したＩＤテーブル情報に含まれた病院端末読取セットＩＤ、患者ＩＤおよび医療従事者ＩＤに更新する制御を行う。
【００２０】
したがって、上記生体情報測定機器は、上記病院端末で読み取られた上記患者ＩＤおよび上記医療従事者ＩＤを効率よく確実に取得できる。すなわち、上記生体情報測定機器は、上記病院端末のＩＤ読取装置によって新たな患者ＩＤや医療従事者ＩＤが読み取られたときは、その新たな患者ＩＤや医療従事者ＩＤを確実に取得できる。一方、上記病院端末のＩＤ読取装置によって新たな患者ＩＤや医療従事者ＩＤが読み取られていないときは、受信したＩＤテーブル情報を破棄して、無駄な処理を行わないことができる。
【００２１】
一実施形態の生体情報測定システムでは、
上記生体情報測定機器は、
病院が受付をした患者名と患者ＩＤとを対応付けて記録した患者一覧リストおよび上記病院内の医療従事者名と医療従事者ＩＤとを対応付けて記録した医療従事者一覧リストを記憶する第１のリスト記憶部と、
上記中継サーバから受信した上記患者ＩＤに基づいて上記第１のリスト記憶部に記憶された上記患者一覧リストを参照して、上記患者ＩＤに対応する患者名を上記測定機器表示部に表示させるとともに、上記中継サーバから受信した上記医療従事者ＩＤに基づいて上記第１のリスト記憶部に記憶された上記医療従事者一覧リストを参照して、上記医療従事者ＩＤに対応する医療従事者名を上記測定機器表示部に表示させる制御を行う測定機器名前表示制御部と
を有することを特徴とする。
【００２２】
ここで、「中継サーバから受信した上記患者ＩＤ」とは、上記生体情報測定機器が受信ＩＤ記憶部を有している場合には、受信ＩＤ記憶部に記憶されている患者ＩＤを指す。また、「中継サーバから受信した上記医療従事者ＩＤ」とは、上記生体情報測定機器が受信ＩＤ記憶部を有している場合には、受信ＩＤ記憶部に記憶されている医療従事者ＩＤを指す。
【００２３】
この一実施形態の生体情報測定システムでは、上記測定機器名前表示制御部は、上記中継サーバから受信した上記患者ＩＤに基づいて上記第１のリスト記憶部に記憶された上記患者一覧リストを参照して、上記患者ＩＤに対応する患者名を上記測定機器表示部に表示させるとともに、上記中継サーバから受信した上記医療従事者ＩＤに基づいて上記第１のリスト記憶部に記憶された上記医療従事者一覧リストを参照して、上記医療従事者ＩＤに対応する医療従事者名を上記測定機器表示部に表示させる制御を行う。したがって、医療従事者は、上記患者名と上記医療従事者名とを確認してから生体情報（測定値）が妥当であるか否かを判断することができる。
【００２４】
一実施形態の生体情報測定システムでは、
上記病院端末は、
病院が受付をした患者名と患者ＩＤとを対応付けて記録した患者一覧リストおよび上記病院内の医療従事者名と医療従事者ＩＤとを対応付けて記録した医療従事者一覧リストを記憶する第２のリスト記憶部と、
上記患者名と上記医療従事者名とを表示するための病院端末表示部と、
上記ＩＤ読取装置によって読み取られた上記患者ＩＤに基づいて上記第２のリスト記憶部に記憶された上記患者一覧リストを参照して、上記患者ＩＤに対応する患者名を上記病院端末表示部に表示させるとともに、上記ＩＤ読取装置によって読み取られた上記医療従事者ＩＤに基づいて上記第２のリスト記憶部に記憶された上記患者一覧リストを参照して、上記医療従事者ＩＤに対応する医療従事者名を上記病院端末表示部に表示させる制御を行う病院端末名前表示制御部と
を有することを特徴とする。
【００２５】
この一実施形態の生体情報測定システムでは、病院端末名前表示制御部は、上記ＩＤ読取装置によって読み取られた上記患者ＩＤに基づいて上記第２のリスト記憶部に記憶された上記患者一覧リストを参照して、上記患者ＩＤに対応する患者名を上記病院端末表示部に表示させるとともに、上記ＩＤ読取装置によって読み取られた上記医療従事者ＩＤに基づいて上記第２のリスト記憶部に記憶された上記患者一覧リストを参照して、上記医療従事者ＩＤに対応する医療従事者名を上記病院端末表示部に表示させる制御を行う。したがって、医療従事者は、上記病院端末で上記患者名と上記医療従事者名とを確認することができる。
【００２６】
一実施形態の生体情報測定システムでは、上記病院端末の上記ＩＤ読取装置は、バーコードを読み取り可能なバーコードリーダであることを特徴とする。
【００２７】
この一実施形態の生体情報測定システムでは、上記病院端末の上記ＩＤ読取装置は、バーコードを読み取り可能なバーコードリーダである。したがって、医療従事者は、上記バーコードリーダを用いてバーコードを読み取ることで、容易に上記患者ＩＤ、上記測定機器ＩＤおよび上記医療従事者ＩＤを上記病院端末に入力できる。
【００２８】
一実施形態の生体情報測定システムでは、上記生体情報測定機器には、上記自己測定機器ＩＤを表すバーコードが取り付けられていることを特徴とする。
【００２９】
この一実施形態の生体情報測定システムでは、上記生体情報測定機器には、上記自己測定機器ＩＤを表すバーコードが取り付けられている。このため、医療従事者は、上記バーコードリーダを用いて上記生体情報測定機器に取り付けられている上記自己測定機器ＩＤを表すバーコードを読み取ることができる。したがって、容易に上記自己測定機器ＩＤを上記病院端末に入力できる。また、上記取り付けられたバーコードは、バーコードリーダのタイプによらず、例えば上記バーコードリーダがＣＣＤスキャナタイプとレーザスキャナタイプのいずれであっても、読み取ることができる。
【００３０】
一実施形態の生体情報測定システムでは、上記生体情報測定機器は、上記自己測定機器ＩＤを表すバーコードを上記測定機器表示部に表示することを特徴とする。
【００３１】
上記バーコードリーダが例えばＣＣＤスキャナタイプであれば、例えば液晶表示ディスプレイのような表示部に表示されたバーコードを読み取ることができる。そこで、この一実施形態の生体情報測定システムでは、上記生体情報測定機器の上記測定機器表示部に上記自己測定機器ＩＤを表すバーコードが表示される。このため、医療従事者は、上記バーコードリーダを用いて上記生体情報測定機器の上記測定機器表示部に表示される上記自己測定機器ＩＤを表すバーコードを読み取ることができる。したがって、容易に上記自己測定機器ＩＤを上記病院端末に入力できる。
【００３２】
また、医療従事者は、上記自己測定機器ＩＤを表すバーコードを上記生体情報測定機器に取り付ける必要がない。また、上記バーコードを紛失したり、上記バーコードが読取できなくなったりすることがない。したがって、上記自己測定機器ＩＤを上記病院端末に確実に入力できる。
【００３３】
この発明の生体情報測定機器は、
患者から少なくとも１種類の生体情報を取得する生体情報測定機器であって、
患者を特定するための患者ＩＤと上記患者の生体情報とを対応付けて電子カルテ情報として記録する病院情報サーバと、上記患者ＩＤ、生体情報測定機器を特定するための測定機器ＩＤおよび医療従事者を特定するための医療従事者ＩＤを読み取るためのＩＤ読取装置を有する病院端末とに通信可能に接続され、
本体に、
生体情報を取得する生体情報取得部と、
この生体情報測定機器自身を特定するための自己測定機器ＩＤを記憶する自己測定機器ＩＤ記憶部と、
上記病院端末から上記患者ＩＤ、上記測定機器ＩＤおよび上記医療従事者ＩＤを受信し、受信した上記測定機器ＩＤと上記自己測定機器ＩＤ記憶部に記憶されている上記自己測定機器ＩＤとが一致したとき、受信した上記患者ＩＤおよび上記医療従事者ＩＤを取得する制御を行うＩＤ受信制御部と、
上記生体情報取得部によって取得された上記生体情報と上記ＩＤ受信制御部によって取得された上記患者ＩＤと上記医療従事者ＩＤとを表示する表示部と、
上記測定機器表示部に表示された上記生体情報を確定する入力を行うための操作部と、
上記測定機器表示部に表示された上記生体情報が上記操作部に対する入力によって確定されたとき、上記患者ＩＤと上記確定された生体情報とを対応付けて通信データとして、上記病院情報サーバへ送信する制御を行う送信制御部と
が搭載されていることを特徴とする。
【００３４】
この発明の生体情報測定機器では、まず、上記ＩＤ受信制御部は、上記病院端末から上記患者ＩＤ、上記測定機器ＩＤおよび上記医療従事者ＩＤを受信する。次に、上記ＩＤ受信制御部は、受信した上記測定機器ＩＤと上記自己測定機器ＩＤ記憶部に記憶されている上記自己測定機器ＩＤとが一致したとき、受信した上記患者ＩＤおよび上記医療従事者ＩＤを取得する制御を行う。上記表示部には、上記生体情報取得部によって取得された上記生体情報と上記ＩＤ受信制御部によって取得された上記患者ＩＤと上記医療従事者ＩＤとが表示されるから、医療従事者は、上記患者ＩＤと上記医療従事者ＩＤとを確認できるとともに、生体情報（測定値）を見て、その測定値が妥当であるか否かを判断することができる。医療従事者はその測定値が妥当であると判断したとき、上記操作部に対する入力によって測定値を確定する。上記表示部に表示された上記生体情報が上記操作部に対する入力によって確定されたとき、上記送信制御部は、上記患者ＩＤと上記確定された生体情報とを対応付けて通信データとして、例えば上記病院情報サーバへ送信する制御を行う。
【００３５】
このように動作する場合、この生体情報測定機器にはＩＤ読取装置を設ける必要がなく、上記病院端末が例えばバーコードリーダのようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。
【発明の効果】
【００３６】
以上より明らかなように、この発明の生体情報測定システムによれば、バーコードリーダのようなＩＤ読取装置を１種類にして、バーコードリーダの運用の仕方を簡単にし、また、コスト面での不利も解消できる。
【００３７】
また、この発明の生体情報測定機器によれば、バーコードリーダのようなＩＤ読取装置を１種類にして、バーコードリーダの運用の仕方を簡単にし、また、コスト面での不利も解消できる。
【図面の簡単な説明】
【００３８】
【図１】この発明の一実施形態の生体情報測定システムの構成を示す図である。
【図２】上記生体情報測定システムに含まれる生体情報測定機器の構成を示すブロック図である。
【図３】上記生体情報測定システムに含まれる中継サーバの構成を示すブロック図である。
【図４】上記生体情報測定システムに含まれる病院情報サーバの構成を示すブロック図である。
【図５】上記生体情報測定システムに含まれる病院端末の構成を示すブロック図である。
【図６】上記生体情報測定機器の外観を示す斜視図である。
【図７】上記病院端末の表示部にＩＤが表示された状態を示す図である。
【図８】生体情報測定後の上記生体情報測定機器の表示部の表示内容を示す図である。
【図９Ａ】上記病院端末の制御部による測定機器ＩＤ、患者ＩＤおよび看護師ＩＤ取得処理のフローを示す図である。
【図９Ｂ】上記病院端末の制御部による測定機器ＩＤ、患者ＩＤおよび看護師ＩＤ取得処理のフローの変形例を示す図である。
【図１０】上記中継サーバの制御部によるＩＤ区分問合せ処理のフローを示す図である。
【図１１】上記中継サーバの制御部によるＩＤテーブル情報保存処理のフローを示す図である。
【図１２】上記生体情報測定機器の制御部による患者ＩＤおよび看護師ＩＤ取得処理のフローを示す図である。
【図１３】上記中継サーバの制御部による患者ＩＤおよび看護師ＩＤ送信処理のフローを示す図である。
【図１４】上記生体情報測定機器の制御部による測定のフローを示す図である。
【図１５】上記中継サーバの制御部による通信データ中継処理のフローを示す図である。
【図１６】上記生体情報測定機器、上記中継サーバ、上記病院情報サーバおよび上記病院端末間のデータの流れを説明する図である。
【図１７】上記生体情報測定機器の表示部に自己測定機器ＩＤを特定するバーコードが表示された状態を示す図である。
【図１８】上記生体情報測定機器が上記中継サーバの機能を果たすように構成したときの、上記生体情報測定機器、上記病院情報サーバおよび上記病院端末間のデータの流れを説明する図である。
【発明を実施するための形態】
【００３９】
以下、この発明の実施の形態を、図面を参照しながら詳細に説明する。
【００４０】
図１は、この発明の一実施形態の生体情報測定システム（全体を符号９０で示す。）のシステム構成を示している。この生体情報測定システム９０は、生体情報測定機器１００と、中継サーバ２００と、病院情報サーバ３００と、病院端末４００とを、ネットワーク９００を介して互いに通信可能に備えている。なお、生体情報測定機器１００と病院端末４００は、それぞれ複数台接続されていても良い。
【００４１】
このネットワーク９００を介した通信は、無線、有線のいずれでも良い。この実施の形態において、ネットワーク９００は、病院内ＬＡＮ（Local Area Network）であるが、これに限定されず、インターネットを介したネットワークのような他の種類のネットワークであってもよいし、ＵＳＢ（Universal Serial Bus）ケーブルなどを用いた１対１の通信であってもよい。
【００４２】
図２に示すように、生体情報測定機器１００は、本体１００Ｍと、この本体１００Ｍに搭載された、制御部１１０と、メモリ１２０と、操作部１３０と、表示部１４０と、測定部１５０と、通信部１９０とを含む。
【００４３】
操作部１３０は、操作ボタン・操作キーなどの操作デバイス（詳しくは後述する。）が操作者によって操作されたことに応じて、操作された内容に応じた操作信号を制御部１１０に入力する。
【００４４】
測定部１５０は、血圧を測定するためのカフ１５１と血圧測定部１５４とを含む血圧計１００Ａ、サーミスタまたは赤外線検知回路を内蔵する検温部を含む体温計１００Ｂ、発光部と受光部とを備えてＳｐＯ２（動脈血酸素飽和度）を測定するためのパルスオキシメータ１００Ｃ、および無線通信により生体情報を取り込むためのＲＦＩＤ（Radio Frequency IDenditification）センサ１５３（図６参照）を含む部分である。血圧計１００Ａや、ＲＦＩＤセンサ１５３を介して体温計１００Ｂ、パルスオキシメータ１００Ｃから取得された生体情報は、制御部１１０に入力される。
【００４５】
メモリ１２０は、生体情報測定機器１００を制御するためのプログラムのデータ、生体情報測定機器１００を制御するために用いられるデータ、生体情報測定機器１００の各種機能を設定するための設定データ、および、測定結果のデータなどを記憶する。また、メモリ１２０は、プログラムが実行されるときのワークメモリなどとして用いられる。
【００４６】
また、メモリ１２０には、この例では自己測定機器ＩＤ記憶部として、この生体情報測定機器１００自身を特定するための自己測定機器ＩＤが記憶されている。さらに、メモリ１２０には、この例では第１のリスト記憶部として、病院が受付をした患者名と患者ＩＤとを対応付けて記録した患者一覧リストと、病院内の医療従事者名と医療従事者ＩＤとを対応付けて記録した医療従事者一覧リストとが記憶されている。
【００４７】
患者一覧リストは、例えば次のようなリストである。
（患者一覧リスト）
0005862330.tif 000002
【００４８】
医療従事者一覧リストは、例えば次のようなリストである。
（医療従事者一覧リスト）
0005862330.tif 000003
【００４９】
制御部１１０は、ＣＰＵ（Central Processing Unit）を含み、メモリ１２０に記憶された生体情報測定機器１００を制御するためのプログラムに従って、操作部１３０からの操作信号に応じて、測定部１５０からの検知信号に基づいて、メモリ１２０、表示部１４０、および、通信部１９０を制御する。
【００５０】
表示部１４０は、ディスプレイおよびインジケータ等を含み、制御部１１０からの制御信号に従って所定の情報を表示する（詳しくは後述する。）。
【００５１】
通信部１９０は、制御部１１０によって制御されて所定の情報を、ネットワーク９００を介して外部の装置に送信したり、外部の装置からの情報を、ネットワーク９００を介して受信して制御部１１０に受け渡したりする。
【００５２】
図３に示すように、中継サーバ２００は、制御部２１０と、メモリ２２０と、操作部２３０と、表示部２４０と、通信部２９０とを含む。この中継サーバ２００は、汎用のコンピュータ装置に、後述の各種処理を行わせるようにプログラム（ソフトウェア）をインストールしたものである。
【００５３】
制御部２１０は、ＣＰＵ（Central Processing Unit）およびその補助回路を含み、サーバ２００の各部を制御し、メモリ２２０に記憶されたプログラムおよびデータに従って所定の処理を実行し、操作部２３０、および、通信部２９０から入力されたデータを処理し、処理したデータを、メモリ２２０に記憶させたり、表示部２４０で表示させたり、通信部２９０から出力させたりする。
【００５４】
メモリ２２０は、制御部２１０でプログラムを実行するために必要な作業領域として用いられるＲＡＭ（Random Access Memory）と、制御部２１０で実行するための基本的なプログラムを記憶するためのＲＯＭ（Read Only Memory）とを含む。また、メモリ２２０の記憶領域を補助するための補助記憶装置の記憶媒体として、磁気ディスク（ＨＤ（Hard Disk）、ＦＤ（Flexible Disk））、光ディスク（ＣＤ（Compact Disc）、ＤＶＤ（Digital Versatile Disk）、ＢＤ（Blu-ray Disc））、光磁気ディスク（ＭＯ（Magneto-Optical disk））、または、半導体メモリ（メモリカード、ＳＳＤ（Solid State Drive））などが用いられてもよい。
【００５５】
操作部２３０は、キーボードおよびマウスで構成され、ユーザによる操作を示す操作信号を制御部２１０に送信する。また、操作部２３０は、キーボードおよびマウスに替えて、または、加えて、タッチパネルなどの他の操作デバイスで構成されるようにしてもよい。
【００５６】
表示部２４０は、ディスプレイ（たとえば、ＬＣＤ（Liquid Crystal Display））を含む。表示部２４０は、制御部２１０によって制御されて、所定の映像をディスプレイに表示させる。
【００５７】
通信部２９０は、制御部２１０からの情報をネットワーク９００を介して他の装置に送信するとともに、他の装置からネットワーク９００を介して送信されてきた情報を受信して制御部２１０に受け渡す。
【００５８】
図４に示すように、病院情報サーバ３００は、制御部３１０と、記憶部３２０と、操作部３３０と、表示部３４０と、通信部３９０とを含む。この病院情報サーバ３００は、汎用のコンピュータ装置に、後述の電子カルテの管理を行わせるように市販の電子カルテのプログラム（例えば、富士通製電子カルテシステム「ＨＯＰＥ／ＥＧＭＡＩＮ−ＥＸ」（登録商標））をインストールしたものである。この病院情報サーバ３００の制御部３１０、記憶部３２０、操作部３３０、表示部３４０、通信部３９０のそれ自体の構成および機能は、基本的に、上述の中継サーバ２００の制御部２１０、メモリ２２０、操作部２３０、表示部２４０、通信部２９０の構成および機能と同様である。ただし、記憶部３２０には、上記電子カルテのプログラムがインストールされ、また、電子カルテ情報を記憶するための電子カルテ情報記憶部３２１が存在する点が異なる。
【００５９】
電子カルテ情報記憶部３２１には、患者名と患者ＩＤとその患者の生体情報とを対応づけて記録した電子カルテが記憶されている。
【００６０】
電子カルテは、例えば次のようなものである。
（電子カルテ）
［患者ＩＤ  １００１    患者名  オムロン  太郎］
0005862330.tif 000004
【００６１】
電子カルテ情報記憶部３２１には、このような電子カルテが患者（患者ＩＤ）毎に記憶されている。
【００６２】
図５に示すように、病院端末４００は、本体４００Ｍと、この本体４００Ｍに搭載された、制御部４１０と、メモリ４２０と、操作部４３０と、病院端末表示部としての表示部４４０と、通信部４９０とを含む。この病院端末４００は、市販のノート型パーソナルコンピュータからなり、中継サーバ２００にアクセスできるようになっている。
【００６３】
この例では、本体４００Ｍに、ＩＤ読取装置としてのバーコードリーダ４３１が、本体４００Ｍに対してＵＳＢケーブルを介して着脱可能に接続されている。バーコードリーダ４３１は、患者、医療従事者が携行するＩＤカード（図示せず）やリストバンド（バーコードが表示されている）からそれぞれ患者ＩＤ、医療従事者ＩＤを読み取るために用いられる。また、このバーコードリーダ４３１は、生体情報測定機器１００を特定する後述の自己測定機器ＩＤを読み取るために用いられる。
【００６４】
メモリ４２０には、この例では第２のリスト記憶部として、生体情報測定機器１００のメモリ１２０におけるのと同様に、病院が受付をした患者名と患者ＩＤとを対応付けて記録した患者一覧リストと、病院内の医療従事者名と医療従事者ＩＤとを対応付けて記録した医療従事者一覧リストとが記憶されている。また、病院に設けられている生体情報測定機器１００の測定機器ＩＤを全て記載した測定機器ＩＤリストが記憶されている。
【００６５】
測定機器ＩＤ一覧リストは、例えば次のようなリストである。
（測定機器ＩＤ一覧リスト）
0005862330.tif 000005
【００６６】
図６は、生体情報測定機器１００の外観を示している。この生体情報測定機器１００は、本体１００Ｍの前部に、測定／停止ボタン１と、メニュー／確定ボタン２と、設定操作キー３と、トレイ４とを備えている。また、本体１００Ｍの左側部にＮＩＢＰ（非観血式；Non Invasive Blood Pressure）コネクタ５を備えている。本体１００Ｍの右側部に、電源コネクタ６と、ＵＳＢコネクタ７と、ＬＡＮコネクタ８とを備えている。さらに、本体１００Ｍの上部に測定機器表示部としての表示部１４０と、この生体情報測定機器１００を特定する自己測定機器ＩＤを示すバーコード１４１とを備えている。このバーコード１４１は、本体１００Ｍの表面に貼付されている。また、本体１００Ｍの内部には、既述の測定部１５０を構成するＲＦＩＤセンサ１５３が内蔵されている。
【００６７】
測定／停止ボタン１は、電源スイッチであり、電源が切れているときに押されると、血圧測定が開始される。血圧測定中に押されると、血圧測定が停止する。
【００６８】
メニュー／確定ボタン２は、この機器１００の各種メニューを表示部１４０に表示させるとともに、測定値を確定するために用いられる。
【００６９】
設定操作キー３は、上キー３ａ、下キー３ｂ、左キー３ｃ、右キー３ｄを含む。これらのキー３ａ，３ｂ，３ｃ，３ｄは、表示部１４０の画面を切り替えたり、各種設定を入力するために用いられる。
【００７０】
これらのメニュー／確定ボタン２および設定操作キー３は、既述の操作部１３０を構成する。
【００７１】
トレイ４は、専用の電子体温計（この例では、オムロン電子体温計ＭＣ−１６００−ＨＰ）を収納するための収容部４ａと、専用のパルスオキシメータ（この例では、パルスオキシメータＨＰＯ−１６００−ＦＰ）を収納するための収容部４ｂとを備えている。
【００７２】
ＮＩＢＰコネクタ５は、血圧測定のためのカフ１５１につながるチューブ・エアホースを本体１００Ｍに接続するために用いられる。
【００７３】
電源コネクタ６は、ＡＣ（交流）アダプタを本体１００Ｍに接続するために用いられる。このＡＣアダプタは、本体１００Ｍに内蔵されたバッテリ（図示せず）を充電するために用いられる。
【００７４】
ＵＳＢコネクタ７は、外部機器を本体１００Ｍに接続するために用いられる。
【００７５】
ＬＡＮコネクタ８は、この例では、この生体情報測定機器１００をネットワーク９００に接続するために用いられる。
【００７６】
さて、病院で、看護師などの医療従事者が生体情報測定機器１００と病院端末４００とを持ち運びながら各患者を巡回して生体情報の測定を行う業務形態がある。生体情報の測定に伴って、生体情報測定機器１００を特定するための測定機器ＩＤ、患者を特定するための患者ＩＤおよび医療従事者（この例では看護師）を特定するための医療従事者ＩＤ（この例では看護師ＩＤ）を取得する必要がある。
【００７７】
上記測定機器ＩＤ、上記患者ＩＤおよび上記看護師ＩＤの取得は、病院端末４００の制御部４１０によって、図９Ａのフローに従って次のようにして行われる。
【００７８】
まず、この例では看護師が、病院端末４００の動作状態で（具体的にはＩＤ読取のためのアプリケーションを動作させて）、測定機器ＩＤを測定毎に入力するか否かについて、操作部４３０を介して入力する（ステップＳ１０１）。測定毎に入力する場合（ステップＳ１０１でＹＥＳ）、看護師がバーコードリーダ４３１によって本体１００Ｍのバーコード１４１を読み取ると（ステップＳ１０２でＹＥＳ）、病院端末４００の制御部４１０は、新たに読み取られた測定機器ＩＤに基づいて、記憶部４２０に記憶している上記測定機器ＩＤリストを参照して、測定機器ＩＤが上記測定機器ＩＤリスト中に存在するか否かを判定する（ステップＳ１０３）。制御部４１０は、測定機器ＩＤが上記測定機器ＩＤリスト中に存在すると判定したとき（ステップＳ１０３でＹＥＳ）、新たにバーコードが読み取られるのを待つ（ステップＳ１０４）。読み取られた測定機器ＩＤは、図７に例示するように、表示部４４０に例えば「本体：ＳＮ０００１−１０３１２９」のように表示される。
【００７９】
次に、看護師が、新たに看護師や患者が携行するＩＤカードやリストバンド（バーコードが表示されている）からバーコードを読み取る（ステップＳ１０４でＹＥＳ）。続いて制御部４１０は、この読み取られた情報（これを「読取情報」と呼ぶ。）に対応する区分（看護師ＩＤまたは患者ＩＤ）を問い合わせるために上記読取情報を中継サーバ２００へ送信して（ステップＳ１０５、矢印Ａ）、中継サーバ２００から上記読取情報に対応する区分を受信する制御を行う（ステップＳ１０５、矢印Ｂ）。ここで、上記区分には、「患者ＩＤ」、「看護師ＩＤ」および「該当なし」がある。例えば「患者ＩＤ」の区分を受信すると、上記読取情報から患者ＩＤが特定され、「看護師ＩＤ」の区分を受信すると、上記読取情報から看護師ＩＤが特定される。上記読取情報が「患者ＩＤ」または「看護師ＩＤ」でなければ、「該当なし」となる。
【００８０】
制御部４１０は、受信した上記区分が「患者ＩＤ」または「看護師ＩＤ」のとき（ステップＳ１０６でＹＥＳ）、表示部４４０の患者ＩＤ欄に上記ＩＤ情報により特定される患者ＩＤを表示するか、看護師ＩＤ欄に上記ＩＤ情報により特定される看護師ＩＤを表示する制御を行う（ステップＳ１０７）。読み取られた「患者ＩＤ」、「看護師ＩＤ」は、図７に例示するように、表示部４４０に例えば「患者：１００００００１」、「操作者：０００００００１」のようにそれぞれ表示される。したがって、看護師は、患者ＩＤおよび看護師ＩＤの読み取り順序を意識することなく、患者ＩＤおよび看護師ＩＤを読み取ることができる。
【００８１】
次に、制御部４１０は、図９Ａに示すように、測定機器ＩＤ、患者ＩＤ、看護師ＩＤの３種類のＩＤが全て読み取られたか否かを判定する（ステップＳ１０８）。上記３種類のＩＤが全て読み取られたとき（ステップＳ１０８でＹＥＳ）、図７に示すように表示部４４０に「確認ＯＫ」ボタン４４１が表示され、看護師が「確認ＯＫ」ボタン４４１をクリックすると、制御部４１０は、上記３種類のＩＤを中継サーバ２００へ送信する制御を行う（図９ＡのステップＳ１０９、矢印Ｃ）。
【００８２】
したがって、看護師は、バーコードリーダ４３１を用いてバーコード１４１を読み取ることで、容易に上記患者ＩＤ、上記測定機器ＩＤおよび上記看護師ＩＤを病院端末４００に入力できる。また、バーコード１４１は、バーコードリーダのタイプによらず、例えば上記バーコードリーダがＣＣＤスキャナタイプとレーザスキャナタイプのいずれであっても、読み取ることができる。
【００８３】
また、図９Ｂは、病院端末４００の制御部４１０による、図９Ａのフローを変形したフローを示している。
【００８４】
この図９Ｂのフローでは、図９ＡのステップＳ１０７とＳ１０８（図９ＢのステップＳ１５７とＳ１６０）との間にステップＳ１５８、Ｓ１５９が追加されている。
【００８５】
概略としては、病院端末４００の制御部４１０は、病院端末名前表示制御部として働いて、上記患者一覧リストおよび上記医療従事者一覧リストを検索して、上記患者ＩＤに対応する患者名および上記医療従事者ＩＤに対応する看護師名を表示部４４０に表示できるようにしている。
【００８６】
具体的には、図９Ｂに示すように、制御部４１０は、表示部４４０に患者ＩＤまたは看護師ＩＤを表示した（ステップＳ１５７）後、上記病院端末名前表示制御部として働いて、患者ＩＤに基づいて、記憶部４２０に記憶した上記患者一覧リストを参照して、上記患者ＩＤに対応する患者名を検索する。また、制御部４１０は、看護師ＩＤに基づいて、記憶部４２０に記憶した上記医療従事者一覧リストを参照して、上記看護師ＩＤに対応する看護師名を検索する（ステップＳ１５８）。次に、制御部４１０は、検索された上記患者名および上記看護師名を表示部４４０に表示させる制御を行う（ステップＳ１５９）。したがって、看護師は、上記患者名と上記看護師名とを確認してから生体情報（測定値）が妥当であるか否かを判断することができる。
【００８７】
なお、この実施形態では、患者名と看護師名は、必ず生体情報測定機器１００の表示部１４０の画面で確認するとの考え方を採用する。したがって、図９Ｂではなく、図９Ａのフローを採用するものとする。
【００８８】
図１０は、中継サーバ２００の制御部２１０によるＩＤ区分問合せ処理のフローを示している。
【００８９】
まず、中継サーバ２００の制御部２１０は、病院端末４００から上記読取情報を受信すると（矢印Ａ、ステップＳ２０１でＹＥＳ）、受信した読取情報が「患者ＩＤ」、「看護師ＩＤ」、「該当なし」のいずれの区分に該当するかを判断する。そして、その読取情報が該当する区分を、病院端末４００へ送信する制御を行う（ステップＳ２０２、矢印Ｂ）。
【００９０】
また、図１１は、中継サーバ２００の制御部２１０によるＩＤテーブル情報保存処理のフローを示している。
【００９１】
まず、中継サーバ２００の制御部２１０は、病院端末４００から測定機器ＩＤ、患者ＩＤ、看護師ＩＤを受信すると（矢印Ｃ、ステップＳ３０１でＹＥＳ）、そのたびに、受信した測定機器ＩＤ、患者ＩＤおよび看護師ＩＤからなるセットを特定するための病院端末読取セットＩＤを作成する。これとともに、その作成した病院端末読取セットＩＤと、上記測定機器ＩＤと、上記患者ＩＤと、上記看護師ＩＤとを対応付けてＩＤテーブル情報とする制御を行う。すなわち、ＩＤテーブル情報には、次のような項目が含まれる。
（ＩＤテーブル情報）
0005862330.tif 000006
ここで、上記病院端末読取セットＩＤは、病院端末４００から測定機器ＩＤ、患者ＩＤおよび看護師ＩＤを受信するごとに付与される通し番号（例えばＮ１，Ｎ２，…）である。そして、制御部２１０は、中継サーバ２００のメモリ２２０をＩＤテーブル情報記憶部として働かせて、メモリ２２０に上記ＩＤテーブル情報を記憶させる制御を行う（ステップＳ３０２）。
【００９２】
次に、制御部２１０は、上記ＩＤテーブル情報に含まれる看護師ＩＤに基づいて、上記メモリ２２０に記憶しているＩＤテーブル情報群を参照して、この看護師ＩＤを含むＩＤテーブル情報が存在するか否かを判断する（ステップＳ３０３）。存在すると判断した場合（ステップＳ３０５でＹＥＳ）、メモリ２２０に記憶されている上記看護師ＩＤを含むＩＤテーブル情報を削除する（ステップＳ３０４）。
【００９３】
図１２は、生体情報測定機器１００の制御部１１０による患者ＩＤおよび看護師ＩＤ取得処理のフローを示している。
【００９４】
予め、生体情報測定機器１００のメモリ１２０には、受信ＩＤ記憶部として、中継サーバ２００から受信した、上記病院端末読取セットＩＤ、患者ＩＤおよび看護師ＩＤを含む上記ＩＤテーブル情報が記憶されているものとする。
【００９５】
まず、生体情報測定機器１００の制御部１１０は、この生体情報測定機器１００自身を特定するための自己測定機器ＩＤを中継サーバ２００へ５秒周期で繰り返し送信する（ステップＳ４０１、矢印Ｄ）。次に、制御部１１０は、中継サーバ２００から、上記病院端末読取セットＩＤ、患者ＩＤおよび看護師ＩＤを含む上記ＩＤテーブル情報を受信する（ステップＳ４０２でＹＥＳ、矢印Ｅ）。すると、制御部１１０は、上記ＩＤ取得制御部として働いて、受信したＩＤテーブル情報に含まれた病院端末読取セットＩＤと生体情報測定機器１００のメモリ１２０に記憶されているＩＤテーブル情報に含まれた病院端末読取セットＩＤとが一致するか否か判断する（ステップＳ４０３）。
【００９６】
上記受信した病院端末読取セットＩＤと上記記憶していた病院端末読取セットＩＤとが一致したとき（ステップＳ４０３でＹＥＳ）、制御部１１０は、受信したＩＤ情報、具体的には、病院端末読取セットＩＤ、患者ＩＤおよび看護師ＩＤを破棄する制御を行う（ステップＳ４０４）。一方、上記受信した病院端末読取セットＩＤと上記記憶していた病院端末読取セットＩＤとが一致しなかったとき（ステップＳ４０３でＮＯ）、制御部１１０は、メモリ１２０に記憶されている内容、具体的には、病院端末読取セットＩＤ、患者ＩＤおよび看護師ＩＤを上記受信したＩＤテーブル情報に含まれた病院端末読取セットＩＤ、患者ＩＤおよび看護師ＩＤに更新する制御を行う（ステップＳ４０５）。
【００９７】
したがって、生体情報測定機器１００は、病院端末４００で読み取られた上記患者ＩＤおよび上記看護師ＩＤを効率よく確実に取得できる。すなわち、生体情報測定機器１００は、病院端末４００のバーコードリーダ４３１によって新たな患者ＩＤや看護師ＩＤが読み取られたときは、その新たな患者ＩＤや看護師ＩＤを確実に取得できる。一方、病院端末４００のバーコードリーダ４３１によって新たな患者ＩＤや看護師ＩＤが読み取られていないときは、受信したＩＤテーブル情報を破棄して、無駄な処理を行わないことができる。
【００９８】
図１３は、中継サーバ２００の制御部２１０による患者ＩＤおよび看護師ＩＤ送信処理のフローを示している。
【００９９】
まず、中継サーバ２００の制御部２１０は、上記ＩＤ送信制御部として働いて、生体情報測定機器１００から上記自己測定機器ＩＤを５秒間隔で繰り返し受信する制御を行う（矢印Ｄ）。次に、制御部２１０は、中継サーバ２００のメモリ２２０に記憶している上記ＩＤテーブル情報に含まれる測定機器ＩＤと受信した上記自己測定機器ＩＤとが一致するたびに（ステップＳ５０１でＹＥＳ）、上記自己測定機器ＩＤと一致した測定機器ＩＤに対応した病院端末読取セットＩＤ、患者ＩＤおよび看護師ＩＤを含むＩＤテーブル情報を生体情報測定機器１００に送信する制御を行う（ステップＳ５０２、矢印Ｅ）。
【０１００】
生体情報の測定は、生体情報測定機器１００の制御部１１０によって、図１４のフローに従って次のようにして行われる。
【０１０１】
看護師は、生体情報測定機器１００の動作状態で、まず、生体情報測定機器１００を特定するための自己測定機器ＩＤを手入力するか否かについて、操作部１３０を介して入力する（ステップＳ６０１）。上記自己測定機器ＩＤを手入力する場合（ステップＳ６０１でＹＥＳ）、制御部１１０は、表示部１４０に自己測定機器ＩＤを表示する制御を行う（ステップＳ６０２）。
【０１０２】
次に、制御部１１０は、中継サーバ２００から患者ＩＤおよび看護師ＩＤを図１２のフローで示したようにして取得する制御を行う（ステップＳ６０３でＹＥＳ）。続いて、制御部１１０は、上記測定機器名前表示制御部として働いて、取得した患者ＩＤに基づいて、メモリ１２０に記憶されている上記患者一覧リストを参照して、上記患者ＩＤに対応する患者名を検索する制御を行う。また、制御部１１０は、取得した上記看護師ＩＤに基づいてメモリ１２０に記憶されている上記医療従事者一覧リストを参照して、上記看護師ＩＤに対応する看護師名を検索する制御を行う（ステップＳ６０４）。そして、制御部１１０は、検索された上記患者名および上記看護師名を表示部１４０に表示する制御を行う（ステップＳ６０５）。したがって、看護師は、上記患者名と上記看護師名とを確認してから生体情報（測定値）が妥当であるか否かを判断することができる。
【０１０３】
次に、制御部１１０は、上記患者ＩＤがメモリ１２０に記憶していた前回の生体情報測定時の患者ＩＤと一致するか否か判断する（ステップＳ６０６）。制御部１１０は、上記患者ＩＤが前回の生体情報測定時の患者ＩＤと一致しないと判断したとき（ステップＳ６０６でＮＯ）、メモリ１２０に記憶していた測定データを破棄する制御を行う（ステップＳ６０７）。次に、制御部１１０は、看護師による操作部１３０に対する測定開始の入力に応じて、測定部１５０に測定値を取得させる（ステップＳ６０８）とともに、表示部１４０に取得された測定値を表示させる制御を行う。この段階で表示部１４０に表示される画面は、例えば図８に示したものである。
【０１０４】
看護師は、上記測定値が妥当であると判断したとき、操作部１３０（具体的には、メニュー／確定ボタン２）に対する入力によって測定値を確定する（ステップＳ６０９でＹＥＳ）。続いて、制御部１１０が上記測定機器送信制御部として働いて、測定機器ＩＤ、患者ＩＤ、看護師ＩＤおよび測定値を対応付けて通信データとして、通信部１９０によってネットワーク９００を介して中継サーバ２００へ送信する制御を行う（ステップＳ６１０）。
【０１０５】
図１５は、中継サーバ２００の制御部２１０による通信データ中継処理のフローを示している。
【０１０６】
まず、中継サーバ２００の制御部２１０は、生体情報測定機器１００から測定値と患者ＩＤとを含む通信データを受信すると（矢印Ｆ、ステップＳ７０１でＹＥＳ）、この受信した通信データに基づいて、患者ＩＤ、看護師ＩＤおよび測定値を対応付けて通信データとして、病院情報サーバ３００へ送信する制御を行う（ステップＳ７０２、矢印Ｇ）。
【０１０７】
図１６は、この生体情報測定システム９０における、生体情報測定機器１００、中継サーバ２００、病院情報サーバ３００、病院端末４００の間の全体としての通信データの流れを示している。
【０１０８】
まず、病院端末４００は、バーコードリーダ４３１で読み取った読取情報に対応する区分を問い合わせるために、上記読取情報を中継サーバ２００へ送信する（通信データＡ）。中継サーバ２００は、この通信データＡを受信すると、上記読取情報に対応する区分を病院端末４００へ送信する（通信データＢ）。続いて、病院端末４００は、測定機器ＩＤ、患者ＩＤ、看護師ＩＤの３種類のＩＤが全て読み取られると、この３種類のＩＤを中継サーバ２００へ送信する（通信データＣ）。中継サーバ２００は、この通信データＣを受信するたびに、受信した測定機器ＩＤ、患者ＩＤおよび看護師ＩＤからなるセットを特定するための病院端末読取セットＩＤを作成する。これとともに、その作成した病院端末読取セットＩＤと、上記測定機器ＩＤと、上記患者ＩＤと、上記看護師ＩＤとを対応付けてＩＤテーブル情報とする。
【０１０９】
次に、生体情報測定機器１００は、患者ＩＤおよび看護師ＩＤを取得するために、自己測定機器ＩＤを中継サーバ２００へ５秒周期で繰り返し送信する（通信データＤ）。中継サーバ２００は、この通信データＤを受信すると、中継サーバ２００に記憶している上記ＩＤテーブル情報に含まれる測定機器ＩＤと受信した上記自己測定機器ＩＤとが一致するたびに、上記自己測定機器ＩＤと一致した測定機器ＩＤに対応した病院端末読取セットＩＤ、患者ＩＤおよび看護師ＩＤを含むＩＤテーブル情報を生体情報測定機器１００に送信する（通信データＥ）。
【０１１０】
生体情報測定機器１００は、中継サーバ２００から、この通信データＥを受信すると、受信したＩＤテーブル情報に含まれた病院端末読取セットＩＤと生体情報測定機器１００に記憶されているＩＤテーブル情報に含まれた病院端末読取セットＩＤとが一致するか否か判断する。そして、上記受信した病院端末読取セットＩＤと上記記憶していた病院端末読取セットＩＤとが一致したとき、病院端末読取セットＩＤ、患者ＩＤおよび看護師ＩＤを破棄する。一方、生体情報測定機器１００は、上記受信した病院端末読取セットＩＤと上記記憶していた病院端末読取セットＩＤとが一致しなかったとき、生体情報測定機器１００に記憶されている病院端末読取セットＩＤ、患者ＩＤおよび看護師ＩＤを上記受信したＩＤテーブル情報に含まれた病院端末読取セットＩＤ、患者ＩＤおよび看護師ＩＤに更新する。
【０１１１】
次に、生体情報測定機器１００は、生体情報の測定を行う。そして、測定機器ＩＤ、患者ＩＤ、看護師ＩＤおよび生体情報の測定値を対応付けて通信データとして、中継サーバ２００へ送信する（通信データＦ）。中継サーバ２００は、この通信データＦを受信すると、この受信した通信データに基づいて、患者ＩＤ、看護師ＩＤおよび測定値を対応付けて通信データとして、病院情報サーバ３００へ送信する（通信データＧ）。すると、病院情報サーバ３００は、上の例では受信した通信データＧに含まれた測定値と患者ＩＤとを対応付けて電子カルテに記録する。
【０１１２】
なお、生体情報測定機器１００から病院情報サーバ３００へ、中継サーバ２００を介さず、直接ネットワーク９００を介して通信データＦを送信してもよい。
【０１１３】
この生体情報測定システム９０によれば、生体情報測定機器１００にはＩＤ読取装置を設ける必要がなく、病院端末４００がバーコードリーダ４３１のようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。
【０１１４】
なお、バーコードリーダ４３１が例えばＣＣＤスキャナタイプであれば、例えば液晶表示ディスプレイのような表示部に表示されたバーコードを読み取ることができる。そこで、この実施形態では、バーコード１４１が生体情報測定機器１００の本体１００Ｍの表面に貼付されていたが、図１７に示すように、表示部１４０の右下に上記自己測定機器ＩＤを示すバーコード１４２を表示してもよい。この場合、看護師は、バーコードを生体情報測定機器に取り付ける必要がなく、バーコードを紛失したり、バーコードが読取できなくなったりすることがない。したがって、自己測定機器ＩＤを病院端末４００に確実に入力できる。
【０１１５】
以上の実施形態では、生体情報測定機器１００が測定する「生体情報」は、主に血圧、体温、ＳｐＯ２であるものとした。当然ながら、この発明はこれに限られるものではなく、この発明の生体情報測定機器は、その他に脈拍、呼吸数など、患者の生体に関する情報を広く測定するものであっても良い。
【０１１６】
また、病院端末４００は、市販のノート型パーソナルコンピュータからなるものとした。当然ながら、この発明はこれに限られるものではなく、この発明の病院端末は、ＰＤＡ（Personal Digital Assistant）等の他の情報端末であってもよい。
【０１１７】
また、中継サーバ２００と病院情報サーバ３００とは、物理的に一体の筐体に収容されていてもよい。
【０１１８】
また、生体情報測定機器１００の本体１００Ｍに、中継サーバ２００を構成する各構成要素を一体に搭載して、生体情報測定機器１００が中継サーバ２００の機能を果たすように構成しても良い。
【０１１９】
例えば、生体情報測定機器１００を構成する制御部１１０、メモリ１２０、操作部１３０、表示部１４０、通信部１９０が、既述の機能に加えて、それぞれ中継サーバ２００の対応する制御部２１０、メモリ２２０、操作部２３０、表示部２４０、通信部２９０の機能を果たすものとする。
【０１２０】
このとき、図１８に示すように、まず、生体情報測定機器１００の制御部１１０は、ＩＤ受信制御部として働いて、通信部１９０を介して、病院端末４００から患者ＩＤ、測定機器ＩＤおよび看護師ＩＤを通信データＣとして受信する。なお、既述のように、病院端末４００と生体情報測定機器１００との間で、読取情報を含む通信データＡと、読取情報および区分を含む通信データＢとのやりとりを行う。次に、制御部１１０は、受信した測定機器ＩＤとメモリ１２０に記憶されている自己測定機器ＩＤとが一致したとき、受信した患者ＩＤおよび看護師ＩＤを取得する制御を行う。表示部１４０には、測定部１５０が生体情報取得部として働いて、取得した生体情報と制御部１１０によって取得された患者ＩＤと看護師ＩＤとが表示される。したがって、看護師は、患者ＩＤと看護師ＩＤとを確認できるとともに、測定値を見て、その測定値が妥当であるか否かを判断することができる。看護師はその測定値が妥当であると判断したとき、操作部１３０に対する入力によって測定値を確定する。表示部１４０に表示された測定値が操作部１３０に対する入力によって確定されたとき、制御部１１０は、送信制御部として働いて、上記患者ＩＤと、上記看護師ＩＤと、上記確定された生体情報とを対応付けて通信データＧとして、通信部１９０を介して病院情報サーバ３００へ送信する制御を行う。
【０１２１】
このように動作する場合、この生体情報測定機器１００にはＩＤ読取装置を設ける必要がなく、病院端末４００がバーコードリーダ４３１のようなＩＤ読取装置を備えれば足りる。したがって、病院内でバーコードリーダのようなＩＤ読取装置を１種類にすることができる。この結果、バーコードリーダの運用の仕方が簡単になり、また、コスト面での不利も解消する。さらに、生体情報測定機器１００と中継サーバ２００との間の通信を省略でき、システム全体としての動作を簡素化できる。
【符号の説明】
【０１２２】
１００  生体情報測定機器
２００  中継サーバ
３００  病院情報サーバ
４００  病院端末
４３１  バーコードリーダ
９００  ネットワーク
【図１】
0005862330.tif 000007
【図２】
0005862330.tif 000008
【図３】
0005862330.tif 000009
【図４】
0005862330.tif 000010
【図５】
0005862330.tif 000011
【図６】
0005862330.tif 000012
【図７】
0005862330.tif 000013
【図８】
0005862330.tif 000014
【図９Ａ】
0005862330.tif 000015
【図９Ｂ】
0005862330.tif 000016
【図１０】
0005862330.tif 000017
【図１１】
0005862330.tif 000018
【図１２】
0005862330.tif 000019
【図１３】
0005862330.tif 000020
【図１４】
0005862330.tif 000021
【図１５】
0005862330.tif 000022
【図１６】
0005862330.tif 000023
【図１７】
0005862330.tif 000024
【図１８】
0005862330.tif 000025